(57)【要約】【課題】給紙モードとして手差しモードを自動的に選択して、ユーザの所望しないサイズの用紙へのプリントを阻止して、用紙の無駄を防止する画像形成装置を提供する。【解決手段】実施形態の画像形成装置は、カセット記録媒体を画像形成部に給紙する給紙カセットと、前記画像形成部で形成する画像の原稿のサイズを検知する原稿サイズ検知部と、前記画像形成部に手差し記録媒体を給紙する手差し給紙部と、前記原稿サイズ検知部の検知結果が、前記カセット記録媒体のサイズと異なる場合に、前記画像形成部への記録媒体の給紙元を前記手差し給紙部に設定する制御部とを備える。【選択図】図４
2014089425.tif 000002
【特許請求の範囲】
【請求項１】
カセット記録媒体を画像形成部に給紙する給紙カセットと、
前記画像形成部で形成する画像の原稿のサイズを検知する原稿サイズ検知部と、
前記画像形成部に手差し記録媒体を給紙する手差し給紙部と、
前記原稿サイズ検知部の検知結果が、前記カセット記録媒体のサイズと異なる場合に、前記画像形成部への記録媒体の給紙元を前記手差し給紙部に設定する制御部とを具備する画像形成装置。
【請求項２】
前記手差し給紙部に前記手差し記録媒体が有るか無いかを検知する手差し有無検知部と、前記手差し有無検知部の検知結果を表示する表示部とを更に備えることを特徴とする請求項１に記載の画像形成装置。
【請求項３】
前記手差し記録媒体のサイズを検知する手差しサイズ検知部を更に備えることを特徴とする請求項１または請求項２に記載の画像形成装置。
【請求項４】
前記手差しサイズ検知部の検知結果が前記原稿サイズ検知部の検知結果と異なる場合に、操作機能を入力する入力部とを更に備えることを特徴とする請求項３に記載の画像形成装置。
【請求項５】
原稿のサイズを検知する原稿サイズ検知工程と、
前記原稿サイズ検知工程の検知結果を、給紙カセット内のカセット記録媒体のサイズと比較する工程と、
前記原稿サイズ検知工程の検知結果と前記カセット記録媒体のサイズとが異なる場合に、画像形成部への記録媒体の給紙元を手差し給紙部に設定する工程とを具備することを特徴とする画像形成方法。
【発明の詳細な説明】
【技術分野】
【０００１】
実施形態は、所望するサイズの用紙に画像形成を行う画像形成装置及び画像形成方法に関する。
【背景技術】
【０００２】
Ｍｕｌｔｉ  Ｆｕｎｃｔｉｏｎ  Ｐｅｒｉｐｈｅｒａｌ（以下ＭＦＰと略称する。）やプリンタ等の画像形成装置では、複数段ある給紙カセットの中から、ユーザの所望するジョブに適した用紙を収納する給紙カセットを自動的に選択する機能を備える装置がある。しかしながら小型化且つ低価格を実現するための単機能の画像形成装置で、給紙カセットが１段である場合、ユーザは給紙カセットを選択して所望の用紙を選択するということができない。給紙カセット内の用紙サイズが、ユーザが所望する用紙サイズでない場合には、ユーザは予め所望の用紙を手差しトレイにセットして、コントロールパネル等から手差しモードを設定して、コピー操作を開始する必要がある。ユーザが手差しモードを設定しないで、コピー操作を開始すると、ユーザの所望する用紙サイズが異なるにもかかわらず、給紙カセットからの用紙にプリントをしてしまい、用紙を無駄にする恐れがある。
【先行技術文献】
【特許文献】
【０００３】
【特許文献１】特開２００７−５７９４４号公報
【発明の概要】
【発明が解決しようとする課題】
【０００４】
この発明が解決しようとする課題は、所望する用紙が給紙カセットにセットされていない場合に、給紙カセットからの給紙によるプリントを自動的に阻止して、所望の用紙によるプリント画像を得る画像形成装置及び画像形成方法を提供することである。
【課題を解決するための手段】
【０００５】
上記課題を達成するために、実施形態の画像形成装置は、カセット記録媒体を画像形成部に給紙する給紙カセットと、前記画像形成部で形成する画像の原稿のサイズを検知する原稿サイズ検知部と、前記画像形成部に手差し記録媒体を給紙する手差し給紙部と、前記原稿サイズ検知部の検知結果が、前記カセット記録媒体のサイズと異なる場合に、前記画像形成部への記録媒体の給紙元を前記手差し給紙部に設定する制御部とを備える。
【図面の簡単な説明】
【０００６】
【図１】第１の実施形態のＭＦＰを示す概略正面図。
【図２】第１の実施形態のＭＦＰの手差し給紙装置を開いた状態を示す概略斜視図。
【図３】第１の実施形態のＭＦＰの要部構成を示す概略ブロック図。
【図４】第１の実施形態においてＭＦＰの給紙モードを手差しモードに設定してプリントする操作を示すフローチャート。
【図５】第２の実施形態のＭＦＰの手差し給紙装置を開いた状態を示す概略斜視図。
【図６】第２の実施形態のＭＦＰの給紙モードを手差しモードに設定してプリントする操作を示すフローチャート。
【図７】第３の実施形態のＭＦＰの給紙モードを手差しモードに設定してプリントする操作を示すフローチャート。
【発明を実施するための形態】
【０００７】
以下、実施形態について説明する。
【０００８】
（第１の実施形態）
第１の実施形態の画像形成装置について図１乃至図４を参照して説明する。図１は、実施形態の画像形成装置の一例である小型のＭＦＰ（Multi Function Peripheral）１０を示す概略正面図である。ＭＦＰ１０は、画像形成部であるプリンタ部１１を内蔵し、中空の排紙部１０ａを備える。ＭＦＰ１０は、プリンタ部１１の上方にスキャナ部１２及びスキャナ部１２に原稿Ｇを搬送するＡＤＦ（Auto document feeder）１３を備える。
【０００９】
スキャナ部１２は、透明のガラス台１２ａと透明の読取ガラス１２ｂを備える。スキャナ部１２は、例えばＣＣＤラインセンサ１２ｃによりガラス台１２ａ上の原稿Ｇを走査して画像を読取り、画像信号を生成する。スキャナ部１２は、ＡＤＦ１３に搬送され、読取ガラス１２ｂ上を走行する原稿画像を読取り、画像信号を生成する。ガラス台１２ａは、例えばＪＩＳ規格のＡ・４サイズ及び欧米の便箋のレターサイズの原稿Ｇをセット可能である。
【００１０】
ＭＦＰ１０は、プリンタ部１１の下方に、給紙カセット部１４を備える。給紙カセット部１４は、カセット記録媒体であり、例えばＪＩＳ規格のＡ・４サイズ或いは欧米の便箋のレターサイズのシートを収納する給紙カセット１５を１つ備える。給紙カセット１５は、給紙可能であれば、Ａ・４サイズ或いはレターサイズ以外のシートを収納しても良い。給紙カセット１５は、未使用のシート或いはリユースのシート（例えば画像を消色処理により消色したシート）等を給紙可能である。
【００１１】
ＭＦＰ１０は、フロント側にコントロールパネル１６、トナーカートリッジカバー１７を備える。コントロールパネル１６は、例えば、ユーザによる操作機能等の入力を受け付ける入力部を構成するキーボード１６ａ及び、ユーザによる入力を受け付け、あるいはユーザへの表示を行う、タッチパネル式のディスプレイ１６ｂを備える。ディスプレイ１６ｂは表示部及び入力部を兼用する。キーボード１６ａは、プリントを開始するためのプリントキー１６ｃを備える。ＭＦＰ１０は、側面１０ｂに、手差し給紙部である手差し給紙装置１８を備える。
【００１２】
図２に示すように、ＡＤＦ１３は、原稿Ｇをセットする原稿台２０を備える。原稿台２０上には原稿Ｇの幅を規制する原稿ガイド２１が設けられる。原稿ガイド２１は、原稿台２０上で矢印ｑ方向にスライドする。ＡＤＦ１３は、原稿ガイド２１の位置を検知して、原稿Ｇの幅サイズを検知する原稿幅検知スイッチ２１ａを備える。原稿台２０にセット可能な原稿Ｇの最大幅サイズは、例えばＡ・４縦サイズ（２９７ｍｍ）とする。原稿台２０は、長尺の原稿Ｇをセットするための、伸延台２２を備える。伸延台２２には、長尺の原稿Ｇを検知する原稿長さ検知スイッチ２３が設けられる。原稿幅検知スイッチ２１ａ及び原稿長さ検知スイッチ２３は、原稿サイズ検知部を構成する。原稿Ｇの長さ検知は、原稿長さ検知スイッチ２３によらず、例えば、ＡＤＦ１３の所定個所を走行する原稿Ｇの走行時間から検知しても良い。
【００１３】
手差し給紙装置１８は、手差し給紙ローラ１８ａ、手差し記録媒体である手差しシートをセットする手差しトレイ２６を備える。手差しトレイ２６は、長尺の手差しシートをセットするための第１の延長トレイ２６ａと第２の延長トレイ２６ｂを有する。手差しトレイ２６は、支持部２６ｃを支点として、ＭＦＰ１０の側面１０ｂで矢印ｒ方向に開閉される。
【００１４】
手差しトレイ２６上には、手差しトレイ２６上の手差しシートの幅を規制する手差しガイド２７が設けられる。手差しガイド２７は、手差しトレイ２６上で矢印ｓ方向にスライドする。手差しトレイ２６にセット可能な手差しシートの最大幅サイズは、例えばＡ・４縦サイズ（２９７ｍｍ）とする。
【００１５】
手差し給紙装置１８は、手差し給紙ローラ１８ａに隣接する位置に、手差し有無検知部である手差し有無検知スイッチ２８を備える。手差し有無検知スイッチ２８は、手差しトレイ２６に手差しシートがセットされているか、セットされていないかを検知する。
【００１６】
ＭＦＰ１０は、例えばＡＤＦ１３で搬送される原稿Ｇをスキャナ部１２で読取った画像データに対応する画像をプリンタ部１１にて、給紙カセット１５から給紙されるシート、或いは手差し給紙装置１８から給紙される手差しシートに形成して、排紙部１０ａに排紙する。ＭＦＰ１０は、プリンタ部１１への給紙モードとして、例えば、記録媒体の給紙元を給紙カセット１５とするカセットモードと、記録媒体の給紙元を手差し給紙装置１８とする手差しモードを備える。ＭＦＰ１０は、プリントモードとして通常の画像形成モードのほかに、画像の縮小／拡大をする倍率変換モードを備えていても良い。ＭＦＰ１０はプリントモードとして２in１モード等を備えていても良い。プリンタ部１１のプリント方式は、電子写真方式或いは、インクジェット方式等任意である。
【００１７】
ＭＦＰ１０の要部を構成する概略ブロック図を図３に示す。ＭＦＰ１０は、システムバス３０ａを介して互いに接続される制御部であるＣＰＵ３０、ＲＯＭ３１、ＲＡＭ３２、画像メモリ３３、スキャナ部１２、画像処理部３６、ＡＤＦ１３、給紙カセット部１４、手差し給紙装置１８、センサ類３７、プリンタ部１１、網制御回路（ＮＣＵ）３８、モデム３９、パーソナルコンピュータ(以下ＰＣと称する)インタフェース４１、コントロールパネル１６等を備える。
【００１８】
ＣＰＵ３０は、ＲＯＭ３１に格納された制御プログラムに基づいてＭＦＰ１０全体を制御する。ＲＡＭ３２は、ＣＰＵ３０が各種の処理を行う上で必要となる各種の情報を格納する。ＲＡＭ３２は例えば給紙モードやプリントモード等の処理情報を格納する。画像メモリ３３は、画像の送受信、あるいは画像プリント等の画像データ処理に係る画像データを記憶する。画像処理部３６はスキャナ部１２で生成された画像信号に関して、ディジタル化、シェーディング補正、画像の拡大・縮小等の各種の補正処理などを行って画像データを生成する。
【００１９】
センサ類３７は、ＰＤＦ１３にある原稿幅検知スイッチ２１ａ及び原稿長さ検知スイッチ２３、手差し給紙装置１８にある手差し有無検知スイッチ２８、その他紙詰まり検知のためのセンサ等を備える。
【００２０】
ＮＣＵ３８は電話回線４２に接続し電話回線４２の状態監視や発信処置等を行う、モデム３９はＮＣＵ３８を介して電話回線４２に接続し、ネットワークプリンタとして、ファクシミリ、ユーザ端末、或いは携帯端末等との信号を授受する。ＰＣインタフェース４１は、ＰＣ４３に接続し、ＣＰＵ３０とＰＣ４３との間での制御コマンドや画像データを授受する。
【００２１】
ＭＦＰ１０は、コントロールパネル１６、ＰＣ４３、ファクシミリ、ユーザ端末、或いは携帯端末等からの入力に従い、プリンタ部１１で必要なプリントを行う。或いはＭＦＰ１０の状態をコントロールパネル１６に表示し、或いはＰＣ４３や外部端末に送信する。
【００２２】
ユーザは、スキャナ部１２のガラス台１２ａに原稿Ｇをセットし或いはＡＤＦ１３に原稿Ｇをセットした後、プリントキー１６ｃをオンして、プリントを開始する。ガラス台１２ａで読取った原稿或いは読取ガラス１２ｂで読取った原稿サイズがＡ・４サイズであれば、ＭＦＰ１０は、給紙カセット１５から給紙されるＡ・４サイズのシート上にプリント画像を形成する。ユーザは原稿サイズと同じＡ・４サイズのシート上に所望のプリント画像を得る。
【００２３】
原稿ＧをＡＤＦ１３で読取った際に、ＭＰＦ１０の給紙モードを自動で手差しモードに設定する場合の操作を図４に示すフローチャートを参照して説明する。原稿Ｇが例えばＡ・３サイズと大きい場合は、ユーザは、ＡＤＦ１３の原稿ガイド２１を矢印ｑ方向にスライドしてＡ・３サイズの原稿幅に合わせ、伸延台２２を伸ばして、Ａ・３サイズの原稿Ｇを原稿台２０にセットする。原稿Ｇを原稿台２０にセットした後ユーザはコントロールパネル１６のプリントキー１６ｃをオンして自動手差し設定をスタートする。
【００２４】
プリントキー１６ｃのオンを検知すると（ＡＣＴ１０１でＹｅｓ．）、ＣＰＵ３０は、ＡＤＦ１３を駆動して、原稿幅検知スイッチ２１ａ及び原稿長さ検知スイッチ２３で原稿サイズを検知し、原稿Ｇを読取ガラス１２ｂに搬送する（ＡＣＴ１０２）。ＡＣＴ１０３に進み、例えば原稿サイズがＡ・４サイズであれば（ＡＣＴ１０３でＹｅｓ．）、ＣＰＵ３０は、手差しモードの自動設定操作を終了する。
【００２５】
例えば原稿サイズがＡ・４サイズであれば（ＡＣＴ１０３でＹｅｓ．）、ＭＰＦ１０は、給紙モードを手差しモードに切り換えることなく、カセットモードを保持して、プリントを開始する（ＡＣＴ１１０）。ＭＦＰ１０はＡＣＴ１１０で、給紙カセット１５から給紙されるＡ・４サイズのシート上に、読取りガラス１２ｂ上を走行する原稿Ｇから読取った画像を所定数プリントし、所定のプリントを実施後に、プリント操作を終了する。
【００２６】
ＡＣＴ１０２で検知した原稿サイズがＡ・４サイズ以外の場合（ＡＣＴ１０３でＮｏ．）、ＣＰＵ３０は、自動でＭＦＰ１０の給紙モードを手差しモードに切り換えて（ＡＣＴ１０４）、手差し有無検知スイッチ２８により、手差しトレイ２６の手差しシートの有無を検知し（ＡＣＴ１０５）、ＡＣＴ１０６に進む。手差し有無検知スイッチ２８の検知結果から、手差しトレイ２６に手差しシートが無い場合（ＡＣＴ１０６でＮｏ．）、ＣＰＵ３０は、ディスプレイ１６ｂに「手差しトレイに手差しシートをセットしてください」というメッセージを表示して（ＡＣＴ１０７）、ユーザに、手差しトレイ２６に手差しシートをセットするように促す。
【００２７】
ＡＣＴ１０７でメッセージを表示後、所定時間を経たら、ＣＰＵ３０は、ＡＣＴ１０５に戻る。ユーザは、ディスプレイ１６ｂの表示に従い手差し給紙装置１８に所望するサイズの手差しシートをセットする。ユーザが所望するサイズが例えばＡ・３サイズであれば、ユーザは手差しガイド２７を矢印ｓ方向にスライドして、Ａ・３サイズの手差しシート幅に合わせ、第１の延長トレイ２６ａ及び第２の延長トレイ２６ｂを延長して、手差しトレイ２６に、所望するＡ・３サイズの手差しシートをセットする。
【００２８】
予め手差しトレイ２６に手差しシートがセットされていて、手差し有無検知スイッチ２８が、手差しトレイ２６に手差しシートが有ると検知すると（ＡＣＴ１０６でＹｅｓ．）、ＭＦＰ１０は、手差しモードで、プリントを開始する（ＡＣＴ１０８）。ＡＣＴ１０８でＭＦＰ１０は、手差しトレイ２６から給紙されるＡ・３サイズの手差しシート上に、読取りガラス１２ｂ上を走行するＡ・３サイズの原稿から読取った画像を所定数プリントし、プリント操作を終了する。
【００２９】
ＡＤＦ１３で搬送する原稿サイズは、Ａ・３サイズに限定されない。また手差しトレイ２６にセットする手差しシートのサイズはＡ・３サイズに限定されない。ＡＣＴ１０７で、手差しトレイ２６への手差しシートのセットを促された場合、ユーザは、原稿サイズと同じサイズではなく、ユーザが所望するサイズの手差しシートを手差しトレイ２６にセット可能である。
【００３０】
尚ガラス台或いは給紙カセットのサイズは限定されない。また給紙カセット１５に収納するシートは、Ａ・４サイズのシートに限定されない。例えば欧米の便箋のレターサイズのシートをメインに使用する場合には、シートとして、レターサイズのシートを給紙カセット１５に収納しても良い。給紙カセット１５内のシートがレターサイズである場合に、ＭＦＰ１０は、ＡＣＴ１０３で、原稿サイズがレターサイズであれば手差しモードの自動設定操作を終了し、原稿サイズがレターサイズでない場合に給紙モードを自動的に手差しモードに切り換える。ＭＦＰ１０は、給紙カセット１５に収納するシートをメインに使用するシートとし、原稿サイズがメインに使用するシートのサイズと異なれば、給紙モードを自動的に手差しモードに切り換える。
【００３１】
第１の実施形態によれば、原稿幅検知スイッチ２１ａ及び原稿長さ検知スイッチ２３で検知した原稿サイズが、給紙カセット１５内のシートのサイズと異なる場合は、ＭＦＰ１０は、給紙モードを自動的に手差しモードに切り換えて、手差しトレイ２６から給紙される手差しシートに原稿画像をプリントする。手差しモード時に、手差しトレイ２６に手差しシートが無い場合に、ＭＦＰ１０はディスプレイ１６ｂの表示により、ユーザに手差しシートのセットを促す。
【００３２】
プリント開始時等にユーザが予めコントロールパネル１６で、手差しモードを設定しなくても、給紙カセット１５に収納されるシートサイズと原稿サイズがと異なっている場合は、ＭＦＰ１０は、自動で給紙モードを手差しモードに切り換えて、手差しトレイ２６にセットされた、ユーザが所望するサイズの手差しシートに所望のプリント画像を形成できる。原稿サイズと給紙カセット１５内のシートサイズとが異なるにもかかわらず、そのままＭＦＰ１０が、給紙カセット１５から給紙を行って、ユーザが所望しないサイズのシートにプリントしてしまうのを阻止して、シートを無駄にするのを防止する。
【００３３】
（第２の実施形態）
第２の実施形態の画像形成装置を、図５及び図６を参照して説明する。第２の実施形態は、第１の実施形態において、手差しシートの有無を検知するのみではなく、手差し給紙装置にある手差しシートのサイズも検知するものである。第２の実施形態にあって、前述の第１の実施形態で説明した構成と同一構成については同一符号を付して詳細な説明を省略する。
【００３４】
図５に示すように、第２の実施形態の手差し給紙装置１８は、手差しガイド２７の位置を検知して、手差しシートの幅サイズを検知するシート幅検知スイッチ２７ａを備える。手差し給紙装置１８は、手差しトレイ２６の第１の延長トレイ２６ａ上に、長尺の手差しシートを検知するシート長さ検知スイッチ２９を備える。シート幅検知スイッチ２７ａ及びシート長さ検知スイッチ２９は、手差しサイズ検知部を構成する。ＣＰＵ３０は、シート幅検知スイッチ２７ａ及びシート長さ検知スイッチ２９の検知結果から手差しシートのサイズを判断する。
【００３５】
原稿ＧをＡＤＦ１３で読取った際に、ＭＰＦ１０の給紙モードを自動で手差しモードに設定して、プリントする場合の操作を図６に示すフローチャートを参照して説明する。第１の実施形態と同様、ユーザは、ＡＤＦ１３に原稿Ｇをセットして、コントロールパネル１６のプリントキー１６ｃをオンして自動手差し設定をスタートする。
【００３６】
ＣＰＵ３０は、ＡＣＴ１０１〜ＡＣＴ１０７までは第１の実施形態と同様にＭＦＰ１０を制御する。ＡＣＴ１０６で、手差し有無検知スイッチ２８の検知結果から、手差しトレイ２６に手差しシートが無い場合（ＡＣＴ１０６でＮｏ．）、ＣＰＵ３０は、ディスプレイ１６ｂに「手差しトレイに手差しシートをセットしてください」というメッセージを表示して（ＡＣＴ１０７）、ユーザに、手差しトレイ２６に手差しシートをセットするように促す。ユーザは、ディスプレイ１６ｂの表示に従い手差し給紙装置１８に所望するサイズの手差しシートをセットする。
【００３７】
予め手差しトレイ２６に手差しシートがセットされていて、手差し有無検知スイッチ２８が、手差しトレイ２６に手差しシートが有ると検知すると（ＡＣＴ１０６でＹｅｓ．）、ＣＰＵ３０は、ＡＣＴ１２０に進む。ＭＦＰ１０はＡＣＴ１２０で、シート幅検知スイッチ２７ａ及びシート長さ検知スイッチ２９で手差しシートのサイズを検知してＡＣＴ１２１に進む。
【００３８】
例えば原稿サイズと手差しシートサイズが異なる場合（ＡＣＴ１２１でＮｏ．）、ＣＰＵ３０は、ディスプレイ１６ｂに「原稿サイズと同じサイズの手差しシートと入れ替えてください」というメッセージを表示して（ＡＣＴ１２２）、ユーザに、手差しシートの入れ替えを促す。ＡＣＴ１２２でメッセージを表示後、所定時間を経たら、ＣＰＵ３０は、ＡＣＴ１０５に戻る。ユーザは、ディスプレイ１６ｂの表示に従い手差し給紙装置１８に原稿Ｇと同じサイズの手差しシートをセットする。尚メッセージの表示にかかわらず、「原稿サイズと手差しシートのサイズとが異なっていても良い」とユーザが判断した場合には、ユーザは、コントロールパネル１６から手差しモードを設定することにより、自動での手差しモードの設定を中止して、既に手差しトレイ２６にセットされる手差しシートを給紙できる。
【００３９】
ＡＣＴ１２１で、原稿サイズと手差しシートサイズが一致すれば（ＡＣＴ１２１でＹｅｓ．）、ＭＦＰ１０は、手差しモードで、プリントを実施する（ＡＣＴ１２４）。ＡＣＴ１２４でＭＦＰ１０は、手差しトレイ２６から給紙される原稿サイズと同じサイズの手差しシート上に、読取りガラス１２ｂ上を走行する原稿Ｇから読取った画像を所定数プリントし、プリント操作を終了する。
【００４０】
第２の実施形態によれば、第１の実施形態と同様、ユーザが予めコントロールパネル１６で、手差しモードを設定しなくても、給紙カセット１５に収納されるシートサイズと原稿サイズがと異なる場合に、ＭＦＰ１０は、自動で給紙モードを手差しモードに切り換える。給紙カセット１５内に収納される、ユーザが所望しないサイズのシートにプリントしてしまうのを阻止して、シートを無駄にするのを防止する。
【００４１】
第２の実施形態によれば、シート幅検知スイッチ２７ａ及びシート長さ検知スイッチ２９で、手差しシートサイズを検知して、原稿サイズと手差しシートサイズが異なる場合に、ＭＦＰ１０はディスプレイ１６ｂの表示により、ユーザに手差しシートのセットを促す。ＭＦＰ１０の給紙モードを自動で手差しモードに切り換えた際に、手差しトレイ２６上の手差しシートサイズを確認して、ユーザが所望しないサイズの手差しシートにプリントするのを阻止して、手差しシートの無駄を防止する。
【００４２】
（第３の実施形態）
第３の実施形態の画像形成装置を、図７を参照して説明する。第３の実施形態は、第２の実施形態において、原稿サイズと手差しシートのサイズが異なる場合に、ユーザに倍率変換モードを提示するものである。第３の実施形態にあって、前述の第２の実施形態で説明した構成と同一構成については同一符号を付して詳細な説明を省略する。
【００４３】
原稿ＧをＡＤＦ１３で読取った際に、ＭＰＦ１０の給紙モードを自動で手差しモードに設定して、プリントする場合の操作を図７に示すフローチャートを参照して説明する。第２の実施形態と同様、ユーザは、ＡＤＦ１３に原稿Ｇをセットして、コントロールパネル１６のプリントキー１６ｃをオンして自動手差し設定をスタートする。
【００４４】
ＣＰＵ３０は、ＡＣＴ１０１〜ＡＣＴ１０７、ＡＣＴ１２０、ＡＣＴ１２１までは第２の実施形態と同様にＭＦＰ１０を制御する。ＡＣＴ１２１で、原稿サイズと手差しシートサイズが一致すれば（ＡＣＴ１２１でＹｅｓ．）、第２の実施形態と同様、ＭＦＰ１０は、手差しモードで、プリントを実施する（ＡＣＴ１２４）。
【００４５】
ＡＣＴ１２１で、例えば原稿サイズと手差しシートサイズが異なる場合（ＡＣＴ１２１でＮｏ．）、ＣＰＵ３０は、ＡＣＴ１２６に進む。ＡＣＴ１２６でＣＰＵ３０は、ディスプレイ１６ｂに「縮小コピー倍率・拡大コピー倍率」を表示する。ユーザは、ディスプレイ１６ｂに表示される画像の拡大・縮小機能のいずれかを選択して、入力する（ＡＣＴ１２７でＹｅｓ）。画像の拡大・縮小機能の入力によりＣＰＵ３０はＡＣＴ１２４に進み、手差しシートに原稿Ｇから読取った画像の画像倍率を変換して、プリントする。ＡＣＴ１２４で所定数をプリントしたらプリント操作を終了する。
【００４６】
倍率変換モードを所望しないユーザは、画像の拡大・縮小機能の入力をしないで（ＡＣＴ１２７でＮｏ．）、例えば手差し給紙装置１８に原稿Ｇと同じサイズの手差しシートをセットする。ＡＣＴ１２６で倍率を表示後、所定時間を経ても、ユーザが画像の拡大・縮小機能の入力をしなければ（ＡＣＴ１２７でＮｏ．）、ＣＰＵ３０は、ＡＣＴ１０５に戻る。
【００４７】
第３の実施形態によれば、第２の実施形態と同様、ユーザが予めコントロールパネル１６で、手差しモードを設定しなくても、給紙カセット１５に収納されるシートサイズと原稿サイズがと異なる場合に、ＭＦＰ１０は、自動で給紙モードを手差しモードに切り換える。給紙カセット１５内に収納される、ユーザが所望しないサイズのシートにプリントしてしまうのを阻止して、シートを無駄にするのを防止する。
【００４８】
第３の実施形態によれば、原稿サイズと手差しシートサイズとが異なる場合に、ＭＦＰ１０はディスプレイ１６ｂの表示により、ユーザに倍率変換モードを提示する。原稿サイズと手差しシートサイズとが異なる場合であっても、ユーザの選択により所望の倍率でのプリントを可能とし、プリントの多様化を得る。
【００４９】
以上説明した少なくとも１つの実施形態によれば、プリント時にユーザが予め給紙モードを手差しモードに設定しなくても、給紙カセットに収納されるシートサイズが原稿サイズと異なっている場合は、画像形成装置の給紙モードを自動で手差しモードに切り換える。給紙カセット内のシートサイズが原稿サイズと異なるにもかかわらず、そのまま給紙カセットからの給紙を行って、ユーザが所望しないサイズのシートにプリントしてしまうのを阻止して、シートを無駄にするのを防止する。
【００５０】
この発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことが出来る。これら実施形態やその変形は、発明の範囲や要旨に含まれるとともに、特許請求の範囲に記載された発明とその均等の範囲に含まれる。
【符号の説明】
【００５１】
１０…ＭＦＰ
１１…プリンタ部
１２…スキャナ部
１２ａ…ガラス台
１２ｂ…読取ガラス
１３…ＡＤＦ
１５…給紙カセット
１６…コントロールパネル
１８…手差し給紙装置
２１ａ…原稿幅検知スイッチ
２３…原稿長さ検知スイッチ
３０…ＣＰＵ
【図１】
2014089425.tif 000003
【図２】
2014089425.tif 000004
【図３】
2014089425.tif 000005
【図４】
2014089425.tif 000006
【図５】
2014089425.tif 000007
【図６】
2014089425.tif 000008
【図７】
2014089425.tif 000009